(57)【要約】      （修正有）【課題】水素泡が発生する環境で洗浄泡を生成するための、より操作性に優れ、小型、低コストな新規の泡生成器の泡車を提供する。【解決手段】回転羽根１、２、３を回転させて湯水、洗剤により細かい粒子の洗浄泡を生成する泡生成器に関して、湯水、容器本体１７の底部に設ける洗剤の貯留部２２に所定寸法のセラミックボール２１を複数個配置するとともに、セラミックボール２１が回転羽根１、２、３に触れて破損することを防ぐために、貯留部２２をセラミックボール２１の外径より深く形成し、または回転羽根１、２、３とセラミックボール２１との間にボールプロテクターを兼ねたクレーパーを配置することにより、水素泡を発生させつつ回転羽根１、２、３を手動または自動で回転させて濃密な洗浄泡を生成する。【選択図】図１
0003209382.tif 000002
【実用新案登録請求の範囲】
【請求項１】
回転羽根を回転させて湯水、洗剤により細かい粒子の洗浄泡を生成する泡生成器に関して、湯水、洗剤の貯留部を構成し、貯留部に所定寸法のセラミックボールを複数個配置するとともに、セラミックボールに回転羽根を直接接触させないボールプロテクターを備えることにより、水素泡を発生させつつ回転羽根を手動または自動で回転させて濃密な洗浄泡を生成する泡車。
【請求項２】
回転羽根の先端部に、所定寸法のセラミックボールを複数個内装し、セラミックボールを湯水、洗剤に浸すための開口部を備えるとともに、セラミックボールを容器本体などに直接接触させないためのボールプロテクターを備える、請求項１に記載する泡車。
【考案の詳細な説明】
【技術分野】
【０００１】本考案は、液体石鹸や粒状石鹸などの石鹸類や洗顔料などの洗浄剤を用いて洗浄泡を作りだす際に、水素泡を発生させることにより生成する洗浄泡に空気を含まれやすくして濃密な洗浄泡を生成する洗浄剤用の泡生成器に関するものである。
【背景技術】
【０００２】洗浄剤を用いて肌を洗浄する際には、皮膚の表面の汚れを有効に除去するために洗浄剤から生成した洗浄泡を用いることが推奨されており、手動、電動などによる多くの泡生成器が実用化されているが、濃密な洗浄泡を生成するためには泡生成の環境で水素泡を発生させることが望ましいため、ネットに水素発生のためのセラミックボールを入れて手で揉んで水素泡とともに洗浄泡を生成する方法が主に利用されているが、この方法は種々の課題を抱えている。
【考案が解決しようとする課題】
【０００３】ネットを用いて手で揉んで洗浄泡を生成する方法で細かい粒子の洗浄泡を作り出すことには難点があるため、より濃密な洗浄泡を生成するために複数個のセラミックボールをネットの中に入れて湯水や洗剤などとともに手で揉む動作を行うが、手で揉む動作が人によっては煩わしく使い勝手が悪く、さらにセラミックボール同士がぶつかり合って破損して破片が洗浄泡に交じるなどのトラブルが起きやすいなどの課題を有しているため、水素泡が発生する環境で洗浄泡を生成するための、より操作性に優れ、小型、低コストな新規の泡生成器を提供する。
【課題を解決するための手段】
【０００４】回転羽根を回転させて湯水、洗剤により細かい粒子の洗浄泡を生成する場合に、生成環境に水素泡が存在するとより濃密な洗浄泡を生成することが出来るため、湯水、洗剤の貯留部を構成し、貯留部に所定寸法のセラミックボールを複数個配置し、セラミックボールを貯留部の湯水、洗剤に浸すとともに、セラミックボールに回転羽根を直接接触させないボールプロテクター構造を備えることにより、水素泡を発生させつつ回転羽根を手動または自動で回転させて洗浄泡を生成する。
【考案の効果】
【０００５】貯留部で複数個のセラミックボールが水、洗剤に浸ることにより、セラミックボールは電位差により酸化と還元が同時に起こり、直流電気が発生し水が電気分解されて水素泡が発生する。このような環境において回転羽根を回転させて湯水、洗剤により洗浄泡を生成することにより細かい粒子の濃密な洗浄泡が生成される。ただし、泡生成の過程で回転羽根などにセラミックボールが当たるとセラミックボールが破損して、破片などが洗浄泡に混ざりこむトラブルを起こすため、セラミックボールに回転羽根を直接接触させないボールプロテクターを備えることにより、水素泡を発生させつつ回転羽根を手動または自動で回転させて濃密な洗浄泡を生成させることが可能となる。
【考案を実施するための形態】
【０００６】本考案による構造は、容器本体に泡を生成する元となる湯水や洗剤などを注入し、容器本体の底の貯留部に溜めるが、洗剤などは湯水に溶かすか回転羽根の先端部の貫通穴に塗布することも可能で、この状態で回転羽根が回転すると回転羽根の先端部や先端部にある貫通穴は湯水に浸かり、湯水を通過して、湯水から出る回転を繰り返す。この動きにより洗剤などは湯水に溶かされるとともに、湯水に浸かった貫通穴が湯水から出るときにシャボン玉状に洗浄泡を生成し、回転羽根の回転を繰り返すごとに洗浄泡が多くなり、生成された洗浄泡が回転羽根の貫通穴を再通過することにより小さな洗浄泡が生成されが、より濃密な洗浄泡を生成するためには、水素泡の環境で洗浄泡を生成する必要があるため、セラミックボールを湯水、洗剤などに浸ことにより電位差で酸化と還元が同時に始まり、直流電気が生じて水が電気分解され水素泡が発生する。
【０００７】図１に本考案による手動泡車の構成概念図を示す。キャップ８に連結される支柱６を挟んで両側に軸５が形成され、両側の軸に４枚ずつの回転羽根１，２，３，４が２組み構成され、これらの回転羽根は軸とともに回転可能であり、回転羽根の少なくとも１枚には強磁性体７が取り付けられて泡生成ユニットを構成している。キャップ、支柱、回転羽根などは樹脂材で形成され、強磁性体はＳＵＳ４３０や鉄などで形成される。湯水、洗剤、洗浄泡、水素泡を収容する容器本体１７の外面には回転摘み１８を手で回すことにより回転する回転プレート１１が構成され、回転プレート１１には、回転羽根に取り付けた強磁性体と磁力で吸引する位置にマグネット１２が配置され、回転プレートの回転により回転羽根は磁力により吸引回転される。２２は、湯水、洗剤の貯留部を構成し、この貯留部にセラミックボール２１が配置され、このセラミックボールを収めた貯留部の湯水、洗剤はセラミックボールの破損を防ぐため回転羽根には触れない位置にあり洗浄泡が生成されても貯留部に残留してセラミックボールによる水素泡を発生する。なお貯留部に関しては、特別な溝構造を構成せずにクレーパーから容器本体の底までの間にセラミックボールがクレーパーに触れないだけの隙間を設ける構造でも良く、貯留部は容器本体における湯水、洗剤の注入場所の一部である場合も有る。
【０００８】図２は回転羽根１，２，３，４などで形成し、クレーパーを備えない泡生成ユニットの概念図を示す。図３は生成した泡を取り出すためのクレーパー１９を備えた泡生成ユニットの概念図を示し、図３では水抜き小穴２０が形成されているが、本泡生成ユニットを容器本体に装着した場合、クレーパー１９は湯水、洗剤などの貯留部２２より上に位置するためボールプロテクターを兼ね、回転羽根がセラミックボールに当たることが防がれ、セラミックボールが破損して破片などが洗浄泡に混ざるトラブルが防がれる。図４は回転羽根２の先端部に構成するボールプロテクター２３の内部に所定寸法のセラミックボール２１を複数個配置した手動泡車の構成概念図を示す。図５はボールプロテクター２３の概念図を示し、ボール２１を装着した状態で回転羽根２が容器本体の底部に到達するとボールプロテクター２３の開口部２４を通して貯留部の湯水、洗剤に浸されて水素泡を発生する構造である。
【０００９】図６は電動泡車の構成概念図を示す。湯水、洗剤、泡、を収容する容器本体１７の外面にはモーター１５の回転を伝達する駆動プレート１３を介して駆動ベルト１４により回転する回転プレート１１が構成され、回転プレート１１には、回転羽根に取り付けた強磁性体と磁力で吸引する位置にマグネット１２が配置され、回転プレートの回転により回転羽根は磁力により吸引回転する。駆動プレート、回転プレートは樹脂材で形成し、駆動ベルトはゴム材で形成する。マグネットは磁力の強いネオジュウム磁石などで構成する。水素泡を生成する機能は図１で説明した構成と同じであり、Ｃａ（カルシウム）、Ｍｇ（マグネシウム）、Ｋ（カリウム）、Ｆｅ（鉄）、Ｚｎ（亜鉛）等の金属で構成されたセラミックボールは水に触れると電位差により酸化と還元が同時に始まり、直流電気が発生し水が電気分解され水素泡が発生する。
【実施例】
【００１０】キャップ、容器本体は透明なポリカーボネートで形成し、容器本体の泡収納サイズを幅×厚×高を５０×６０×１００ｍｍ、内容積を約３００ｍｌとした。回転羽根は２３×２８ｍｍ、厚１．５ｍｍを８枚としＡＢＳ樹脂で構成し、貫通穴をφ３．０ｍｍとした。クレーパーは容器本体に適合する半円弧状，厚１．５ｍｍ、ＡＢＳ樹脂プレートで、φ２ｍｍの小穴を形成して支柱に嵌め込む構成とした。回転羽根には強磁性体のＳＵＳ４３０を取り付け、回転プレートにはネオジュウム磁石を回転羽根の強磁性体と相互に重なる位置で近接する位置に配置し、電動モーターは小型の直流モーターを使用した。またセラミックボールはＭｇ（マグネシウム）を主とした素材でφ３ｍｍのものを５個使用した。【００１１】回転羽根と回転プレートの両方にマグネット、または回転羽根にマグネット、回転プレートに強磁性体で構成しても良い。貫通穴はφ２〜φ５ｍｍ程度、回転羽根の枚数は貫通穴の数、容器本体サイズ見合いで適切に選ぶことが出来る。マグネットは磁力を満たせばサマリウムコバルト磁石、フェライト磁石などでも良い。セラミックボールはＣａ（カルシウム）、Ｍｇ（マグネシウム）、Ｋ（カリウム）、Ｆｅ（鉄）、Ｚｎ（亜鉛）等の金属で構成され、水との反応速度、サイズなどは自由に最適化が可能である。また回転摘みに関しても摘みに限るものではなく指かけ構造でも良く、回転プレートと駆動プレートの連結はベルトに限らずギヤなどでも良く、クレーパーは支柱に着脱可能、または一体でも良い。さらに回転羽根をマグネットなどを使用せずに直接駆動源と連結しても良く、本体容器に注入する湯水の高さをガイドするマーカーラインを表示するなど、機能、性能、外観、使用する素材、ディメンジョンなどに関しては本考案の趣旨を逸脱しない範囲であれば種々変形実施が可能である。
【図面の簡単な説明】
【００１２】
【図１】本考案に基づく手動泡車の構成概念図を示す
【図２】回転羽根などで形成する泡生成ユニットの概念図を示す
【図３】クレーパーを装着した泡生成ユニットの概念図を示す
【図４】本考案に基づく手動泡車の構成概念図を示す
【図５】回転羽根に装着するボールプロテクターの概念図を示す
【図６】本考案に基づく電動泡車の構成概念図を示す
【符号の説明】  １．回転羽根              １１．回転プレート
２．回転羽根              １２．マグネット
３．回転羽根              １３．駆動プレート
４．回転羽根              １４．駆動ベルト
５．軸                    １５．モーター
６．支柱                  １６．電池
７．強磁性体              １７．容器本体        ２１．セラミックボール
８．キャップ              １８．回転摘み        ２２．貯留部
９．キャップ摘み          １９．クレーパー      ２３．ボールプロテクター
１０．回転羽根回転方向      ２０．小穴            ２４．開口部
【図１】
0003209382.tif 000003
【図２】
0003209382.tif 000004
【図３】
0003209382.tif 000005
【図４】
0003209382.tif 000006
【図５】
0003209382.tif 000007
【図６】
0003209382.tif 000008
【手続補正書】
【提出日】平成28年12月19日(2016.12.19)
【手続補正１】
【補正対象書類名】実用新案登録請求の範囲
【補正対象項目名】全文
【補正方法】変更
【補正の内容】
【実用新案登録請求の範囲】
【請求項１】
回転羽根を回転させて湯水、洗剤により細かい粒子の洗浄泡を生成する泡生成器に関して、湯水、容器本体の底部に設ける洗剤の貯留部に所定寸法のセラミックボールを複数個配置するとともに、セラミックボールが回転羽根に触れて破損することを防ぐために、貯留部をセラミックボールの外径より深く形成し、または回転羽根とセラミックボールとの間にボールプロテクターを兼ねたクレーパーを配置することにより、水素泡を発生させつつ回転羽根を手動または自動で回転させて濃密な洗浄泡を生成する泡車。
【請求項２】
所定寸法のセラミックボールを複数個内装し、セラミックボールを湯水、洗剤に浸すための開口部を有するボールプロテクターを回転羽根の先端部に形成するとともに、回転羽根の回転によりセラミックボールが容器本体、支柱などの構造物と接触しない配置構成とする、請求項１に記載する泡車。